(57)【要約】【課題】  本発明は、建物の出隅部に出隅パネルを簡単な作業で安定した状態で取付けることが出来、かつ位置の調整が容易な出隅パネルの取付構造を目的とする。【解決手段】  表面の出隅部から裏面の入隅部に貫通孔１２が設けられたＬ字型の出隅パネル１１を建物の出隅部に取付ける構造に於いて、２つの帯金８ａ，８ｂを９０度の角度で接続したＬ字型の出隅パネル受金物８の出隅部上方にボルト角穴を有するコーナー片８ｄを設け、該コーナー片８ｄのボルト角穴に角根ネジ付長ボルト９を挿通し、かつ該長ボルト９を出隅パネル１１の貫通孔１２に貫通させてナット１３を螺合して出隅パネル１１を建物の出隅部に取付固定した取付構造である。【選択図】    図１
2005097869.tif 000002
【特許請求の範囲】
【請求項１】
水平断面が等辺のＬ字型を有しかつ表面の出隅部から裏面の入隅部に貫通孔が設けられた出隅パネルを建物の出隅部に取付ける構造に於いて、２つの帯金がほぼ９０度の角度でＬ字型状に接続されて形成された出隅パネル受金物の両端を夫々建物に設けられた平パネル受金物に固定し、かつ該出隅パネル受金物の出隅部に固定されたボルトを出隅パネル受金物の外面に沿って裏面側が当接された出隅パネルの前記貫通孔に挿通してナットで締結したことを特徴とした出隅パネルの取付構造。
【請求項２】
前記出隅パネル受金物の出隅部に設けたボルトが、該出隅部に穿設された角孔に該ボルトの根本部に設けた角根ネジを挿通した後で該ボルトがプッシュワッシャで固定されていることを特徴とした請求項１の出隅パネルの取付構造。
【請求項３】
建物の出隅部に断熱材を取付ける構造に於いて、該出隅部の外面を断熱材で被覆した後で、前記請求項１の出隅部パネル受金物の帯金を断熱材の外面にまわして当接した後で、該帯金の端部を平パネルの受金物に固定して構成することを特徴とした出隅部に於ける断熱材の取付構造。
【発明の詳細な説明】
【技術分野】
【０００１】
本発明は建物の出隅部に出隅パネルを取付ける構造に係り、特に、簡単な構造を有する出隅パネル受金物を用いて出隅パネルを建物の出隅部に簡単な作業で安定した状態に取付けることが出来る出隅パネルの取付構造及び該出隅部に断熱材を取付ける構造に関するものである。
【背景技術】
【０００２】
従来、出隅パネルの取付構造に関しては、後述の如く、極めて多くの技術が開発されている。特に、出隅パネルを簡単な作業でかつ安定した状態で建物の出隅部に取付けることが出来る構造、或は該建物の出隅部に断熱材を容易に取付けることが出来る構造が要求されている。
【０００３】
後述の特許文献１（第１図）に示す如く、角柱の周りにＬ型出隅受金物を配し、このＬ型出隅受金物の両端部を梁取付金具を介して梁に取付固定し、かつＬ型出隅受金物の外側に当接された出隅パネルをボルトを介してＬ型出隅受金物の両袖に取付ける構造が開発されている。
【０００４】
また、後述の特許文献２（第１図）に示す如く、谷型出隅受金物の両端を夫々両側に配設された外壁平パネルの端面に当接してボルト止めし、該谷型出隅受金物の谷部に挿入されたスペーサーの上に円弧状出隅パネルを当接し、該円弧状出隅パネルとスペーサーと谷型出隅受金物の谷部底辺とを夫々支持ボルトで一体的に固定した取付構造の技術も開発されている。
【０００５】
さらに、後述の特許文献３（図１，図４）に示す如く、角柱の周りに設けられた建物の躯体の出隅部に、断面Ｌ型の取付金具を配設し、かつこの断面Ｌ型の取付金具のコーナー部の一部を内面に折込むことによって、ボルト挿通用穴が中央部に設けられたパネル取付用フランジを形成し、前記断面Ｌ型の取付金具の外面に当接された出隅パネルのコーナー部内部と該パネル取付用フランジをボルトを介して相互に連結固定した取付構造の技術も開発されている。
【０００６】
【特許文献１】特開平4-111834号公報（第１図）
【特許文献２】実公平5-27623号公報（第１図）
【特許文献３】特開平10-338982号公報（図１及び図４）
【発明の開示】
【発明が解決しようとする課題】
【０００７】
しかしながら、特許文献１の技術では、出隅パネルにＬ型出隅受金物をボルト固定する位置に柱があるため、出隅パネルにＬ型出隅受金物を予め取付けておく必要がある。また、Ｌ型出隅受金物は隣接する平パネルが取付けられていると梁に固定できない。よって、出隅パネルは平パネルに先行して取付けなければならない。即ち、出隅パネルの欠品や破損が生じると平パネルの取付けが出来ず、工事が進められなくなる問題があった。
【０００８】
また、特許文献１の技術に於いては、出隅パネルを建物の内側(柱の裏）から固定しているため、工事完了後に交換や補修のために出隅パネルを取り外さなければならない場合、隣接する平パネルも取り外さなければならない。平パネルには内装壁の下地等が取付けられていることが多く、大工事となる。さらに、Ｌ型出隅受金物の夫々の面にボルト止めする必要があり、Ｌ型出隅受金物の梁への取付けにも別部品が必要で、部品の点数が多く施工の手間もかかる問題もあった。
【０００９】
特許文献２の技術に於いては、強度が小さいＡＬＣパネルのしかも巾の狭い端面口に出隅パネルを取付けているため、ＡＬＣパネルが破損し出隅パネルが脱落する危険がある問題があった。また、ＡＬＣパネルは反りなどによって施工精度が出しづらいので出隅パネルも精度良く取付けることが難しい問題もあった。
【００１０】
特許文献３の技術に於いても、平パネル取付け前に出隅パネルを取付けなければならず、かつ出隅パネルを建物の内側(柱の裏）から固定しているので、特許文献１と同様の問題があった。
【００１１】
本発明は、前述の従来の多くの問題を解決するものであり、その目的とするところは、全体として簡単な構造で、かつ施工や取付後の位置調整や交換が容易で、施工手順の自由度も高く、しかも少ない部品点数で出隅パネルを建物の出隅部に安定した状態で取付けることが出来る出隅パネルの取付構造の技術を提供するものである。また、前述の取付構造を用いて、他に部品を追加することなく、建物の出隅部に断熱材を取付けることが出来る取付構造の技術も提供するものである。
【課題を解決するための手段】
【００１２】
前述の目的を達成するための本発明の出隅パネルの取付構造の発明の要旨は、水平断面が等辺のＬ字型を有しかつ表面の出隅部から裏面の入隅部に貫通孔が設けられた出隅パネルを建物の出隅部に取付ける構造に於いて、２つの帯金がほぼ９０度の角度でＬ字型状に接続されて形成された出隅パネル受金物の両端を夫々建物に設けられた平パネル受金物に固定し、かつ該出隅パネル受金物の出隅部に固定されたボルトを出隅パネル受金物の外面に沿って裏面側が当接された出隅パネルの前記貫通孔に挿通してナットで締結した出隅パネルの取付構造である。
【００１３】
本発明に於いては、出隅パネル受金物は２つの帯金をほぼ９０度の角度でＬ字型に接続した構造で、この２つの帯金を建物の出隅部の両側に配置し、夫々の帯金の端部を出隅部の両側に設けられた平パネル取付用の平パネル受金物に他の部品を介さずに直接固定することが出来る。
【００１４】
また、前記出隅パネル受金物の出隅コーナー部にはボルトが突設され、かつ出隅パネルの出隅部表面から裏面の入隅部に亘っては貫通孔が設けられているので、出隅パネルを出隅パネル受金物の外面に当接し、前記ボルトを貫通孔に挿通してナット止めすることによって、出隅パネル受金物を介して出隅パネルを１つのボルトとナットのみで建物の出隅部に簡単かつ安定した状態で取付けることが出来る。さらに、平パネルと干渉することなく建物の外側からのナットの締めつけ作業のみで出隅パネルを取付けられるので、パネルの施工手順の自由度が増すとともに、一旦取付けた出隅パネルを取り外してパネルの位置調整や交換をすることも可能である。また、ボルト，ナットでの固定位置が出隅パネルの中央部１ヶ所のみであるので、ＡＬＣパネル出隅パネルの場合、ナット締めつけ時の出隅パネルの破損を防ぐことが出来る。
【００１５】
前述の本発明に使用される出隅パネル受金物の発明の要旨は、出隅パネル受金物の出隅部に設けたボルトが、該出隅部に穿設された角孔に該ボルトの根本部に設けた角根ネジを挿通した後で該ボルトがプッシュワッシャで固定されている構造である。
【００１６】
従がって、前述の発明に於ける出隅パネル受金物は、出隅部に設けられた角孔にボルトの角根ネジが挿通され、かつ該ボルトにはブッシュワッシャが取付けられているので、ボルトが回転不能の状態に固定されている。そのために、ボルトを事前に出隅パネル受金物に溶接固定したり、或はナット止めする必要がなく、現場での作業が容易である。
【００１７】
本発明に係る建物の出隅部に於ける断熱材の取付構造の要旨は、出隅部の外面を断熱材で被覆した後で、前記請求項１の出隅部パネル受金物の帯金を断熱材の外面に当接した後で、該帯金の端部を平パネルの受金物に固定して構成することを特徴とした出隅部に於ける断熱材の取付構造である。
【００１８】
本発明は、前述の構造を有するので、出隅部の外面に断熱材を被覆した後で、出隅パネル受金物の帯金を断熱材の外面にまわして押圧すると共に、該帯金の端部を平パネルの受金物に固定することによって、他の部品を使用することなく断熱材を安定した状態で出隅部に取付けることが出来る。
【発明の効果】
【００１９】
本発明の出隅パネルの取付構造は、前述の構成と作用を有するので、出隅パネル受金物を平パネル受金物に一体的に取付けることが出来る。かつ、両者の金物を同一の面で取付けるので、出隅パネルの設置精度を高めることが出来る効果を有している。さらに、前記平パネル受金物に平パネルを取付けた後で、出隅パネルの取り外しが可能なので、この出隅パネルの位置調整や交換が簡単に出来る等の効果を有している。また、出隅パネルは、建物の外側からナットにて平パネルと干渉することなく取付けることが出来るため、平パネルと出隅パネルの施工手順に制約がなく施工手順の自由度が増す。また、ボルト，ナットでの固定位置がパネルの中央部１ヶ所のみなので、部品の点数を減らすことが出来るとともに、ナットの締めつけ時のパネルの破損（欠け）を防ぐことが出来る。
【００２０】
また、本発明の出隅部に於ける断熱材の取付構造は、前述の構成と作用を有するので、建物の出隅部に断熱材施工を簡単に施工することが出来る。かつ、出隅パネルを取付けるための出隅パネル受金物が、柱と外壁の間のヒートブリッジとならない構成にすることが出来るので、断熱性が極めて良い。さらに、断熱材或は平パネルを取付けた後でも、出隅パネルの取り外しが可能なので、この出隅パネルの位置調整が簡単に出来る等の効果を有している。しかも、本発明では、専用の断熱材固定部品が不要である等の効果も有している。
【発明を実施するための最良の形態】
【００２１】
図により本発明に係る出隅パネルの取付構造の一実施例を具体的に説明すると、図１は本発明に係る出隅パネルの取付構造の出隅パネル受金物及び建物の出隅部の説明図、図２は平パネル受金物の取付構造を示す説明図、図３は出隅パネル受金物の構成を示す拡大説明図、図４はプッシュワッシャの説明図、図５は出隅パネル受金物のボルトにプッシュワッシャを取付ける状態の説明図、図６は建物の出隅部に出隅パネルを取付ける状態の説明図である。
【００２２】
図１乃至図５に於いて、１は建物の柱であって、その側面には梁２，３が夫々ボルトを介して固定されている。また、これ等の梁２，３には、特に図１及び図２に示すような形状を持った建物の外壁となるＡＬＣパネル等の平パネルを取付けるための平パネル受金物４，５，６，７が夫々ボルトを介して取付けられている。
【００２３】
８は出隅パネル受金物であって、２つの帯金８ａ，８ｂがほぼ９０度の角度でＬ字型状に接続されて形成されている。また、帯金８ａ，８ｂの先端部８ｃはクランク状に形成され、かつボルト穴が穿設されている。この出隅パネル受金物８の折曲出隅部の上方或は下方には所定位置にボルト角穴を有するコーナー片８ｄが突設されている。該コーナー片８ｄのボルト角穴は、長ボルト９の角根ネジが嵌入されて回転不能になるように形成されている。また、８ｃは出隅パネルの下端面を支持する受板である。
【００２４】
１０は、特に図４及び図５に示す如き構造を有するプッシュワッシャである。このプッシュワッシャ１０は本件特許出願人が開発した技術であって、既に特許出願している(特願2003-71381）。このプッシュワッシャ１０の構成及び作用効果については、前記特許出願の明細書に於いて詳述しているが、概略の構造は、円板１０ａのほぼ中央部の円孔１０ｂに向かって、前記長ボルト９のネジ山と係合し得る複数の爪１０ｃが設けられ、かつ該円板１０ａの側部には長ボルト９の外径よりも大きい径を持った通孔１０ｄが設けられている。そして前記円孔１０ｂと通孔１０ｄとの間には長ボルト９のネジ山の外径と同じか或は小さい径を持ったくびれ部１０ｅが設けられている。また、円板１０ａの両側は折曲げられて操作片１０ｆを形成している。
【００２５】
長ボルト９をコーナー片８ａに取付けるに当っては、出隅パネル受金物８のコーナー片８ａのボルト角穴に長ボルト９を挿通して、該ボルト角穴に角根ネジを嵌入して回転不能に構成する。
【００２６】
次に、長ボルト９の先端をプッシュワッシャ１０の円板１０ａの通孔１０ｄに挿通した後で、該プッシュワッシャ１０を長ボルト９の角根ネジ側に移動する。長ボルト９の軸をくびれ部１０ｅから円孔１０ｂに強制的に移動させ、前記円板１０ａの爪１０ｃを長ボルト９のネジ山に係合させて、長ボルト９を出隅パネル受金物８のコーナー片８ｄに取付固定する。
【００２７】
出隅パネル１１を建物の出隅部に取付けるに当っては、図１及び図６に示す如く、出隅パネル受金物８を柱１の外側面に沿って当接した後で、両袖に設けられた帯金８ａ，８ｂの先端部８ｃのクランク部を梁２，３に取付けられた平パネル受金物４，５，６，７の裏面に当接し、これ等の先端部８ｃを平パネル受金物４，５，６，７にボルト止めする。従がって、先端部８ｃのクランク部が平パネル受金物４，５，６，７の裏面に当接されて固定されるので、平パネル受金物４，５，６，７と帯金８ａ，８ｂとの外側面は夫々同一面、即ち面一に配列することが出来る。
【００２８】
次に、出隅パネル１１の内側面を建物の出隅部に配置しながら、出隅パネル受金物８の外面に当接する際に、出隅パネル１１の上下のコーナー部に設けられた貫通孔１２に、前述のように出隅パネル受金物８のコーナー片８ｄに取付けられた長ボルト９を挿通し、最終的に長ボルト９の先端にナット１３を螺合することによって、１つの出隅パネル受金物８に対して１ヶ所のみのボルトとナットで出隅パネル１１を建物の出隅部に安定した状態で取付けることが出来る。また、出隅パネル１１の中央に貫通穴があけられているため、ナットを締めつけた際に、欠けやすいＡＬＣパネルの出隅パネルの場合にも誤って破損してしまう恐れがない。
【００２９】
本発明は、出隅パネル受金物８が２つの帯金８ａ，８ｂで形成されているので、これ等の帯金８ａ，８ｂを、柱１の外周に巻き付けて安定させることが出来る。また、これ等の帯金８ａ，８ｂは、前述の如く、平パネル受金物４，５，６，７に簡単な操作で取付けることが出来ると共に、出隅パネル受金物８と平パネル受金物４，５，６，７の外面とを夫々同一面に揃えて配置することが出来る。
【００３０】
従がって、前記出隅パネル１１と平パネル（図示せず）とを同一の肉厚にした場合には、そのままこれ等のパネルを出隅パネル受金物８或は平パネル受金物４，５，６，７に取付けると、両者のパネルの外面を面一に揃えることが出来る。また、前記出隅パネル１１は建物の外側からナット１３にて平パネルと干渉することなく固定する構造になっているために、出隅パネル受金物８さえ予め取付けておけば、平パネル取付前でも取付後でも出隅パネル１１を取付けることが出来る。よって、仮に出隅パネル１１に欠品や破損等が生じても、平パネルの施工をすすめることが出来る。前述の出隅パネル１１は、出隅パネル受金物８に着脱自在に取付られているので、一旦出隅部に取付けた後でも、周りの平パネルに合わせて再調整しながら取付固定することが出来る。さらに、平パネルが取り付いたままの状態で、出隅パネルを交換することも可能である。
【００３１】
次に、前述の構成を有する建物の出隅部の外面に断熱材を取付ける出隅部に於ける断熱材の取付構造に付いて説明する。図７は出隅部に取付けられる断熱材の構成を示す説明図、図８は出隅部に断熱材を巻き付けた状態の斜視図、図９は出隅パネル受金物で断熱材を固定した状態の説明図、図１０は建物の出隅部と出隅パネルとの間に設けられた断熱材を示す断面説明図である。
【００３２】
図７乃至図１０に於いて、１４，１５は夫々建物の出隅部に取付けられる断熱材であって、プラスチック発泡材、例えば約１２ｍｍの厚みを有するネオマフォーム(登録商標）等より構成されている。また、１６，１７は前記梁２，３に沿って平パネルの裏面に取付けられる前記断熱材１４，１５と同種材料で形成された断熱材である。
【００３３】
前述の断熱材１４，１５を出隅部に取付けるに当っては、特に、図７及び図８に示す如く、断熱材１４，１５を夫々柱１の外面に当接した後、前述の出隅パネル受金物８を断熱材１４，１５の外側に配置すると共に、２つの帯金８ａ，８ｂを夫々の断熱材１４，１５の外面をまわして押え、帯金８ａ，８ｂの先端部８ｃを平パネル受金物４，５，６，７にボルトを介して取り付けることによって、出隅パネル受金物８を介して断熱材１４，１５を夫々柱１の外面に取付固定することが出来る。
【００３４】
前述のように、建物の出隅部及び外壁部に夫々断熱材１４，１５，１６，１７を夫々取付けた後で、特に図９及び図１０に示す如く、断熱材１４，１５，１６，１７の外面に出隅パネル１１及び平パネル１８を夫々配置し、これ等の出隅パネル１１及び平パネル１８を、出出隅パネル受金物８或は平パネル受金物４，５，６，７を介して出隅部又は外壁部に取付けて、建物の断熱を簡単な作業で効果的に施すことが出来る。図１０に於いて、１９は柱１と断熱材１６，１７の端部との間隙を閉鎖する気密テープである。また、２０は並列された平パネル１８相互の隙間を閉鎖する断熱材である。
【００３５】
本発明に係る出隅部に於ける断熱材の取付構造は、前述の構成を有するので、建物の出隅部に断熱材１４，１５を簡単な作業で安定した状態で取付けることが出来る。特に、出隅パネル受金物８の帯金８ａ，８ｂで、断熱材１４，１５を挟持して取付けるので、断熱材１４，１５の収納スペースを小さくすることが出来る。また、出隅パネル受金物８は、前述のように配置されて使用されるので、この出隅パネル受金物８が柱１と外壁との間のヒートブリッジとなる恐れがなく、断熱性を良好にすることが出来る。さらに、前述のように、断熱材１４，１５を出隅部に取付け、かつ平パネル１８を梁側に取付けた後でも、出隅パネル１１は取り外しが出来るので、出隅パネルの位置調整が簡単に出来る。
【図面の簡単な説明】
【００３６】
【図１】本発明に係る出隅パネルの取付構造の出隅パネル受金物及び建物の出隅部の説明図である。
【図２】平パネル受金物の取付構造を示す説明図である。
【図３】出隅パネル受金物の構成を示す拡大説明図である。
【図４】プッシュワッシャの説明図である。
【図５】出隅パネル受金物のボルトにプッシュワッシャを取付ける状態の説明図である。
【図６】本建物の出隅部に出隅パネルを取付ける状態の説明図である。
【図７】出隅部に取付けられる断熱材の構成を示す説明図である。
【図８】出隅部に断熱材を巻き付けた状態の斜視図である。
【図９】出隅パネル受金物で断熱材を固定した状態の説明図である。
【図１０】建物の出隅部と出隅パネルとの間に設けられた断熱材を示す断面説明図である。
【符号の説明】
【００３７】
１・・・柱
２，３・・・梁
４，５，６，７・・・平パネル受金物
８・・・・出隅パネル受金物
８ａ，８ｂ・・・帯金
８ｃ・・・帯金の先端部
８ｄ・・・コーナー片
９・・・長ボルト
１０・・・プッシュワッシャ
１０ａ・・・円板
１０ｂ・・・円孔
１０ｃ・・・爪
１０ｄ・・・通孔
１０ｅ・・・くびれ部
１０ｆ・・・操作片
１１・・・出隅パネル
１２・・・貫通孔
１３・・・ナット
１４，１５，１６，１７・・・断熱材
１８・・・平パネル
１９・・・気密テープ
２０・・・断熱材
【図１】
2005097869.tif 000003
【図２】
2005097869.tif 000004
【図３】
2005097869.tif 000005
【図４】
2005097869.tif 000006
【図５】
2005097869.tif 000007
【図６】
2005097869.tif 000008
【図７】
2005097869.tif 000009
【図８】
2005097869.tif 000010
【図９】
2005097869.tif 000011
【図１０】
2005097869.tif 000012